(57)【要約】【課題】  力、引力とはどういう現象か。力、引力はどれ位の磁気の光子の軌道で、どれ位の数の磁気の光子によってできているか。【解決手段】  力、引力は磁気の光子の衝突エネルギーである。万有引力の定数は６．６７２×１０−１１Ｎ・ｍ２・ｋｇ−２である。これは、物質１ｋｇから（６．６７２×１０−１１）１／２Ｊの磁気の光子のエネルギーが放出していて、物と物の間でぶつかり、エネルギーを発する現象である。このエネルギーが力や引力である。１ｋｇで（６．６７２×１０−１１）１／２Ｊであるから、１原子では、（６．６７２×１０−１１）１／２Ｊ÷（６．０２２×１０２６個）＝１．３５６×１０−３２Ｊである。１Ａの電流でできる力は、電流に垂直にできるので、磁気の光子のエネルギーである。それで、どれ位の磁気の光子の軌道エネルギーで、どれだけの数の磁気の光子によって、（６．６７２×１０−１１）１／２Ｊ、（２×１０−７）１／２Ｊ、（９×１０９）１／２Ｊの磁気の光子のエネルギーができるかを調べる。【選択図】図６
2004162717.tif 000002
【特許請求の範囲】
【請求項１】
力、引力は磁気の光子の衝突エネルギーである。
２つの物質の間に働く力、引力は磁気の光子が衝突してできるエネルギーであり、２つの物質の中間点における２つの物質の各々の磁気の光子の軌道エネルギーの積である。
２つの電荷の間に働く力、引力は磁気の光子が衝突してできるエネルギーであり、２つの電荷の中間点における２つの電荷の各々の磁気の光子の軌道エネルギーの積である。
【請求項２】
磁気の光子の分類。磁気の光子の状態によって分類する。
Ａ軌道を回転している場合。Ｂ放出した場合。Ｃ衝突した場合。
Ａ軌道を回転している場合。
陽子のラブの周囲をクロス回転している。
電子のラブの周囲をクロス回転している。
自由電子のラブの周囲をクロス回転している。
これらの磁気の光子のエネルギーは変わらない。
磁気の光子は回転している軌道のエネルギーで回転し続ける。
その軌道のエネルギーは１．１×１０−４１Ｊ÷軌道  である。
Ｂ放出した場合。
磁気の光子のエネルギーが放出した場合、磁気の光子のエネルギーは減少しながら進んでゆく。
それが、磁気の光子の軌道エネルギーである。
物質の磁気の光子のエネルギーはｒｍ進むごとに、（６．６７２×１０−１１）１／２Ｊ×ｍｋｇ÷ｒに減少する。
電荷の磁気の光子のエネルギーはｒｍ進むごとに、（９×１０９）１／２Ｊ×ｑ÷ｒに減少する。（ｑクーロンの場合）
この磁気の光子はいつまでも走り続ける。
しかし、磁気の光子のエネルギーは走る距離にしたがって小さくなる。
今、太陽からの磁気の光子のエネルギーを考えてみる。
太陽から放出する磁気の光子の軌道を０．５×１０−１１ｍとする。
太陽の場のエネルギーはとても高エネルギーであるから、電子の磁気の光子の軌道はとても小さい。
それで、地球の１／１０とする。
０．５×１０−１１ｍの軌道のエネルギーは、１．１×１０−４１Ｊ÷（０．５×１０−１１ｍ）＝２．２×１０−３０Ｊ。
太陽から地球までの距離は光速で８秒であるから、８×３×１０８ｍである。
よって、太陽から放出する磁気の光子のエネルギーは、電荷の軌道エネルギーであるから、
９．４８６８×１０４Ｊ×２．２×１０−３０Ｊ÷（８×３×１０８ｍ）＝０．８６９７×１０−３４Ｊ。
太陽では２．２×１０−３０Ｊの磁気の光子は、地球では０．８６９７×１０−３４Ｊとなる。
この磁気の光子の軌道は、１．１×１０−４１Ｊ÷（０．８６９７×１０−３４Ｊ）＝１．２６４８×１０−７ｍである。
１．２６４８×１０−７ｍの磁気の光子は波長にすると２×１．２６４８×１０−７ｍ＝２．５２９６×１０−７ｍである。
これは可視光である。
可視光を得るために、地球と太陽は８×３×１０８ｍ離れている。
このように、磁気の光子は走り続ける距離によって、エネルギーは減少する。
エネルギーの減少の割合が、磁気の光子の軌道エネルギーである。
Ｃ衝突した場合。
この磁気の光子が衝突した場合は力と引力になる。
【請求項３】
磁気の光子が衝突した場合、どのようになるか。
例えば、Ａから放出される磁気の光子と、Ｂから放出される磁気の光子が、ｒｍの間隔で衝突した場合、
ＡとＢの磁気の光子の速度は同じであるから、ｒ／２の点で衝突する。
この磁気の光子の軌道はｒである。
それで、
ａ物質の場合。万有引力の解明。
Ａ（質量はｍｋｇ）が衝突した点の磁気の光子の軌道エネルギーは（６．６７２×１０−１１）１／２Ｊ×ｍ÷軌道（ｒ）。
Ｂ（質量はｍ′ｋｇ）が衝突した点の磁気の光子の軌道エネルギーは（６．６７２×１０−１１）１／２Ｊ×ｍ′÷軌道（ｒ）。
衝突した磁気の光子のエネルギーは衝突した点の各々の磁気の光子の軌道のエネルギーの積である。
２物質間の力及び引力は衝突した点のＡとＢの磁気の光子の軌道エネルギーの積である。
それで、ＡとＢの力および引力は＝６．６７２×１０−１１Ｊ×ｍｍ′÷軌道（ｒ）２  である。
これが万有引力の法則である。
ｂ電荷の場合。クーロンの法則の解明。
Ａ（ｑ１クーロン）が衝突した点の磁気の光子の軌道エネルギーは（９×１０９）１／２Ｊ×ｑ１÷軌道（ｒ）。
Ｂ（ｑ２クーロン）が衝突した点の磁気の光子の軌道エネルギーは（９×１０９）１／２Ｊ×ｑ２÷軌道（ｒ）。
衝突した電荷の磁気の光子のエネルギーは衝突した点の各々の磁気の光子の軌道のエネルギーの積である。
２電荷間の力及び引力は衝突した点のＡとＢの磁気の光子の軌道エネルギーの積である。
それで、ＡとＢの力及び引力＝９×１０９Ｊ×ｑ１ｑ２÷軌道（ｒ）２  である。
これがクーロンの法則である。
【請求項４】
物質の場合。万有引力は何によってできるか。
１原子でできる磁気エネルギーは、
（６．６７２×１０−１１）１／２Ｊ÷（６．０２２×１０２６個）＝１．３５６×１０−３２Ｊである。
この磁気の光子の軌道は、１．１×１０−４１Ｊ÷（１．３５６×１０−３２Ｊ）＝８．１１２×１０−１０ｍ。
原子の力、引力となっている磁気の光子は、８．１１２×１０−１０ｍの軌道を回転している、１．３５６×１０−３２Ｊの磁気の光子である。
この磁気の光子が放出し、力や引力になっている。
万有引力とは、原子から放出する磁気の光子のエネルギーである。
原子の最外殻の電子から放出する磁気の光子である。
それは、８．１１２×１０−１０ｍの軌道を回転する、１．３５６×１０−３１Ｊの磁気の光子である。
この磁気の光子を「万有引力の基本磁気の光子」と名付ける。
物質１ｋｇから放出する磁気の光子のエネルギーは、（６．６７２×１０−１１）１／２Ｊ＝８．１６８×１０−６Ｊである。
物質１ｋｇの磁気の光子の軌道エネルギーは、８．１６８×１０−６Ｊ÷軌道  である。
物質ｍｋｇの磁気の光子の軌道エネルギーは、８．１６８×１０−６Ｊ×ｍｋｇ÷軌道  である。
【請求項５】
自由電子が導体の中を走るとき、導体の原子の原子核や電子とぶつからないようにカーブしながら走る。そのとき外側の磁気の光子が排斥される。
外側の磁気の光子は自由電子のラブから離れているので、ラブから受ける引力が少ないからである。カーブするとき、外側の磁気の光子はラブについていけず、そのままの方向に走りつづける。これが放出した磁気の光子である。このように、磁気の光子は自由電子がカーブする事によってできる。それで、磁気の光子の軌道は自由電子のクロス回転する外側の磁気の光子の軌道である。それは自由電子の大きさの１／２の大きさである。
【請求項６】
原子の場合どうして放出する磁気の光子は少ないか。
原子の場合は安定しているので、原子の最外殻の電子の最も外側の磁気の光子が放出する。
その磁気の光子は「万有引力の基本磁気の光子」である。
【請求項７】
電流の場合。放出する磁気の光子のエネルギーと磁気の光子の数。
１Ａの電流で、１ｍにできる力は２×１０−７Ｎ・ｍ＝２×１０−７Ｊであるから、１本の導体１ｍから放出する磁気の光子のエネルギーは（２×１０−７）１／２Ｊ＝４．４７２×１０−４Ｊである。
４．４７２×１０−４Ｊの磁気の光子のエネルギーは何個の磁気の光子でできるエネルギーか。
放出する磁気の光子の軌道をｙｍとした場合、磁気の光子のエネルギーは１．１×１０−４１Ｊ÷ｙであり、４．４７２×１０−４Ｊ÷（１．１×１０−４１Ｊ÷ｙ）＝４．０６５４５×１０３７×ｙ（個）の磁気の光子でできる。
【請求項８】
電荷の場合。放出する磁気の光子のエネルギーと磁気の光子の数。
１クーロンで放出する磁気の光子のエネルギーは（９×１０９）１／２Ｊ＝９．４８７×１０４Ｊである。
９．４８７×１０４Ｊの磁気の光子のエネルギーは何個の磁気の光子によってできるエネルギーか。
放出する磁気の光子の軌道をｙｍとすると、磁気の光子のエネルギーは１．１×１０−４１Ｊ÷ｙであり、９．４８７×１０４Ｊ÷（１．１×１０−４１Ｊ÷ｙ）＝８．６２４５×１０４５×ｙ（個）の磁気の光子でできる。
例えばｙｍ＝１０−１０ｍであるならば、磁気の光子のエネルギーは１．１×１０−３１Ｊであり、８．６２４５×１０３５個で、９．４８７×１０４Ｊの磁気エネルギーができる。
１クーロンでできる磁気の光子の軌道エネルギーは、９．４８６９５×１０４Ｊ÷軌道  である。
ｑクーロンでできる磁気の光子の軌道エネルギーは、９．４８６９５×１０４Ｊ×ｑ÷軌道である。
【発明の詳細な説明】
【技術分野】
【０００１】  この発明は力、引力、万有引力の法則、クーロンの法則に関する。
【背景技術】
【０００２】  従来、力や引力は物質の質量によってできると漠然と考えられてきた。２つの物質問の力は質量の積に比例し、距離の２乗に逆比例する。Ｆ＝ｋｍｍ′／ｒ２  である。
万有引力はＦ＝Ｇｍｍ′／ｒ２  Ｇ＝６．６７２×１０−１１Ｎ・ｍ２・ｋｇ−２である。クーロンの法則はＦ＝ｋｑ１ｑ２／ｒ２  ｋ＝９×１０９である。
【本発明が解決しようとする課題】
【０００３】１、力、引力とは何か。力、引力は何によってできるか。
２、磁気の光子の分類はどうであるか。磁気の光子の状態によって分類する。
３、磁気の光子が衝突した場合どのようになるか。
物質の場合−万有引力の解明。電荷の場合−クーロンの法則の解明。
４、物質の場合、万有引力は何によってできるか。放出する磁気の光子の軌道とエネルギー。
５、電流及び電荷の場合、どうしてたくさんの磁気の光子が放出するか。
６、原子の場合、どうして放出する磁気の光子は少ないか。
７、電流の場合、放出する磁気の光子のエネルギーと磁気の光子の数。
８、電荷の場合、クーロン力は何によってできるか。放出する磁気の光子のエネルギーと磁気の光子の数
【課題を解決するための手段】
【０００４】力、引力とは磁気の光子の衝突エネルギーである。
力、引力とは２つの物質（又は電荷）の磁気の光子のエネルギーが衝突し、できるエネルギーである。
力、引力である２物質（又は電荷）間のエネルギーは、２つの物質（又は電荷）の磁気の光子のエネルギーが衝突した点の各々の磁気の光子のエネルギーの積である。
２物質間の距離をｒｍとする。衝突した点はｒ／２であり、この点の軌道はｒである。
物質の場合。
引力定数は６．６７２×１０−１１Ｎ・ｍ２・ｋｇ−２＝６．６７２×１０−１１Ｊ・ｍ・ｋｇ−２である。
これは衝突エネルギーである。
物質は１ｋｇ当たり（６．６７２×１０−１１）１／２Ｊ  の磁気の光子のエネルギーを持っていると考える。
１原子では、（６．６７２×１０−１１）１／２Ｊ÷（６．０２２×１０２６個）＝１．３５６×１０−３２Ｊのエネルギーである。
１原子のエネルギーは４．３５９７４８２×１０−１８Ｊであるから、１．３５６×１０−３２Ｊは１原子のエネルギーの３．０９５×１０−１５倍である。
これは磁気の光子のエネルギーである。（１原子のエネルギー＝４．３５９７４８２×１０−１８Ｊは電気の光子のエネルギーである。）
１原子で１．３５６×１０−３２Ｊの磁気の光子の軌道は、１．１×１０−４１Ｊ÷（１．３５６×１０−３２Ｊ）＝８．１１２×１０−１０ｍである。
この磁気の光子が万物の引力の基本である。
電流の場合。
１Ａの導体１本で、（２×１０−７）１／２Ｎ・ｍ＝（２×１０−７）１／２Ｊのエネルギーを放出する。
これは電流に垂直にできる力で、磁気の光子のエネルギーである。
１Ａで、１ｍにできる力について、
１Ａの導体で１ｍにつき、（２×１０−７）１／２Ｊ＝４．４７２×１０−４Ｊの磁気の光子を放出する。
自由電子の大きさを２×１０−１０ｍとし、磁気の光子の大きさを１０−１０ｍと仮定すると、
１個の磁気の光子のエネルギーは１．１×１０−４１Ｊ÷１０−１０ｍ＝１．１×１０−３１Ｊ。
この磁気の光子が放出し、力、引力のエネルギーとなっている。
４．４７２×１０−４Ｊの磁気の光子は１．１×１０−３１Ｊの磁気の光子では何個か。
４．４７２×１０−４Ｊ÷（１．１×１０−３１Ｊ）＝４．０６５４５×１０２７（個）
磁気の光子の軌道エネルギーが１．１×１０−３１Ｊの場合、１ｍにつき、４．０６５４５×１０２７個の磁気の光子が放出し、４．４７２×１０−４Ｊの磁気エネルギーになっている。
このように、力と引力はある軌道の磁気の光子が放出し、磁気の光子と磁気の光子が衝突してできる。
【発明の実施態様】
【０００５】１  力、引力は何によってできるか。
力は磁気の光子のエネルギーによってできる。２つの物の間の力は磁気の光子の衝突エネルギーである。衝突した点の、各々の磁気の光子の軌道エネルギーの積である。もし、１つのものから放出する磁気エネルギーが別のものから放出される磁気の光子と衝突しなければ、磁気の光子はそのまま走っていく。しかし、別のものが存在した場合、磁気の光子は別のものから放出する磁気の光子と衝突する。この衝突した点の各々の磁気の光子の軌道エネルギーの積が引力であり、力である。
２  磁気の光子の分類。磁気の光子の状態によって分類する。
磁気の光子はその状態によって３種類に分類される。
Ａ軌道を回転している場合。Ｂ放出した場合。Ｃ衝突した場合である。
Ａ軌道を回転している場合。
磁気の光子は原子の中でクロス回転している。
陽子のラブの周囲をクロス回転している。
電子のラブの周囲をクロス回転している。
自由電子のラブの周囲をクロス回転している。
これらの磁気の光子のエネルギーは変わらない。
磁気の光子は回転している軌道のエネルギーで回転し続ける。
その軌道のエネルギーは１．１×１０−４１Ｊ÷軌道  である。
Ｂ放出した場合。
磁気の光子のエネルギーが放出した場合、磁気の光子のエネルギーは減少しながら進んでゆく。
それが、磁気の光子のエネルギーの軌道である。
物質の磁気の光子のエネルギーはｒｍ進むごとに、（６．６７２×１０−１１）１／２Ｊ×ｍｋｇ÷ｒに減少する。図１。
電荷の磁気の光子のエネルギーはｒｍ進むごとに、（９×１０９）１／２Ｊ×ｑ÷ｒに減少する。（ｑクーロンの場合）図２。
この磁気の光子はいつまでも走り続ける。
しかし、磁気の光子のエネルギーは走る距離にしたがって小さくなる。
今、太陽からの磁気の光子のエネルギーを考えてみる。図３。
太陽から放出する磁気の光子の軌道を０．５×１０−１１ｍとする。
太陽の場のエネルギーはとても高エネルギーであるから、電子の磁気の光子の軌道はとても小さい。
それで、地球の１／１０とする。
０．５×１０−１１ｍの軌道のエネルギーは、１．１×１０−４１Ｊ÷（０．５×１０−１１ｍ）＝２．２×１０−３０Ｊ。
太陽から地球までの距離は光速で８秒であるから、８×３×１０８ｍである。
よって、太陽から放出する磁気の光子のエネルギーは、電荷の軌道エネルギーであるから、
９．４８６８×１０４Ｊ×２．２×１０−３０Ｊ÷（８×３×１０８ｍ）＝０．８６９７×１０−３４Ｊ。
太陽では２．２×１０−３０Ｊの磁気の光子は、地球では０．８６９７×１０−３４Ｊとなる。
この磁気の光子の軌道は、１．１×１０−４１Ｊ÷（０．８６９７×１０−３４Ｊ）＝１．２６４８×１０−７ｍである。
１．２６４８×１０−７ｍの磁気の光子は波長にすると２×１．２６４８×１０−７ｍ＝２．５２９６×１０−７ｍである。
これは可視光である。
可視光を得るために、地球と太陽は８×３×１０８ｍ離れている。
このように、磁気の光子は走り続ける距離によって、エネルギーは減少する。
エネルギーの減少の割合が、磁気の光子の軌道エネルギーである。
Ｃ衝突した場合。
磁気の光子が衝突した場合は力と引力になる。
３  磁気の光子が衝突した場合どのようになるか。
例えば、Ａから放出される磁気の光子と、Ｂから放出される磁気の光子が、ｒｍの間隔で衝突した場合、
ＡとＢの磁気の光子の速度は同じであるから、ｒ／２の点で衝突する。
この磁気の光子の軌道はｒである。
それで、
ａ物質の場合。万有引力の解明。図４。
Ａ（質量はｍｋｇ）が衝突した点の磁気の光子の軌道エネルギーは（６．６７２×１０−１１）１／２Ｊ×ｍ÷軌道（ｒ）。
Ｂ（質量はｍ′ｋｇ）が衝突した点の磁気の光子の軌道エネルギーは（６．６７２×１０−１１）１／２Ｊ×ｍ′÷軌道（ｒ）。
衝突した磁気の光子のエネルギーは衝突した点の各々の磁気の光子の軌道エネルギーの積である。
２物質間の力及び引力は衝突した点のＡとＢの磁気の光子の軌道エネルギーの積である。
それで、ＡとＢの力および引力＝６．６７２×１０−１１Ｊ×ｍｍ′÷軌道（ｒ）２  である。
これが万有引力の法則である。
ｂ電荷の場合。クーロンの法則の解明。図５。
Ａ（ｑ１クーロン）が衝突した点の磁気の光子の軌道エネルギーは（９×１０９）１／２Ｊ×ｑ１÷軌道（ｒ）。
Ｂ（ｑ２クーロン）が衝突した点の磁気の光子の軌道エネルギーは（９×１０９）１／２Ｊ×ｑ２÷軌道（ｒ）。
衝突した電荷の磁気の光子のエネルギーは衝突した点の各々の磁気の光子の軌道エネルギーの積である。
２電荷間の力及び引力はＡとＢの衝突した点の磁気の光子の軌道エネルギーの積である。
それで、ＡとＢの力及び引力＝９×１０９Ｊ×ｑ１ｑ２÷軌道（ｒ）２  である。
これがクーロンの法則である。
４  物質の場合。万有引力は何によってできるか。放出する磁気の光子の軌道とエネルギー。図６。
１原子でできる磁気エネルギーは、
（６．６７２×１０−１１）１／２Ｊ÷（６．０２２×１０２６個）＝１．３５６×１０−３２Ｊである。
この磁気の光子の軌道は、１．１×１０−４１Ｊ÷（１．３５６×１０−３２Ｊ）＝８．１１２×１０−１０ｍ。
原子の力、引力となっている磁気の光子は、８．１１２×１０−１０ｍの軌道を回転している、１．３５６×１０−３２Ｊの磁気の光子である。
この磁気の光子が放出し、力や引力になっている。
万有引力とは、原子から放出する磁気の光子のエネルギーである。
原子の最外殻の電子から放出する磁気の光子である。
それは、８．１１２×１０−１０ｍの軌道を回転する、１．３５６×１０−３１Ｊの磁気の光子である。
この磁気の光子を「万有引力の基本磁気の光子」と名付ける。
物質１ｋｇから放出する磁気の光子のエネルギーは、（６．６７２×１０−１１）１／２Ｊ＝８．１６８×１０−６Ｊである。
物質１ｋｇから放出する磁気の光子の数は何個か。
８．１６８×１０−６Ｊ÷（１．３５６×１０−３１Ｊ）＝６．０２３６×１０２５  ６．０２３６×１０２５個である。
物質１ｋｇの磁気の光子の軌道エネルギーはどれくらいか。
物質１ｋｇで磁気の光子の軌道エネルギーは、８．１６８×１０−６Ｊ÷軌道  である。
物質ｍｋｇの磁気の光子の軌道エネルギーはどれくらいか。
物質ｍｋｇの磁気の光子の軌道エネルギーは、８．１６８×１０−６Ｊ×ｍｋｇ÷軌道  である。
５  電流及び電荷の場合どうしてたくさんの磁気の光子が放出するのか。図７。
自由電子は導体の原子の原子核や電子をカーブしながら走る。カーブするとき、自由電子の外側の磁気の光子はラブから遠いので、ラブの引力を弱く受けているので、ラブについていけず、排斥される。そして、放出される。その結果、自由電子の最も外側の磁気の光子が放出する。
このことに関して、本発明者は特許出願２００３−５４９５７「電磁波」として提出した。
６  原子の場合、どうして放出する磁気の光子は少ないか。
原子の場合は安定しているので、原子の最外殻の電子の最も外側の磁気の光子だけが放出する。
その磁気の光子を「万有引力の基本磁気の光子」と名付ける。
７  電流の場合。放出する磁気の光子の軌道エネルギーと放出する数。図８。
１Ａの電流で、１ｍにできる力は２×１０−７Ｎ・ｍ＝２×１０−７Ｊであるから、１本の導体１ｍでできる磁気の光子のエネルギーは（２×１０−７）１／２Ｊ＝４．４７２×１０−４Ｊである。
４．４７２×１０−４Ｊの磁気の光子のエネルギーは何個の磁気の光子でできるエネルギーか。
磁気の光子の軌道が１０−１０ｍのとき、磁気の光子のエネルギーは、１，１×１０−４１Ｊ÷１０−１０ｍ＝１．１×１０−３１Ｊであるから、
４．４７２×１０−４Ｊ÷（１．１×１０−３１Ｊ）＝４．０６５４５×１０２７
４．０６５４５×１０２７個の磁気の光子でできる。
１Ａとは１ｍにつき、自由電子から１０−１０ｍの軌道の磁気の光子が４．０６５４５×１０２７個放出する電流である。
１Ａとは１ｍにつき、磁気の光子の軌道をｙｍと仮定すると、磁気の光子のエネルギーは１，１×１０−４１Ｊ÷ｙであり、４．４７２×１０−４Ｊ÷（１．１×１０−４１Ｊ÷ｙ＝４．０６５４５×１０３７×ｙ（個）の磁気の光子が放出する電流である。
８  電荷の場合。クーロンカは何によってできるか。１クーロンから放出する磁気の光子の軌道エネルギーと放出する数。図９。
磁気の光子が導体の中を走る秒速をｘｍとすると、
ｘ×４．４７１２×１０−４Ｊ＝（９×１０９）１／２Ｊ＝９．４８７×１０４Ｊ    ｘ＝２．１２１４×１０８（ｍ）である。
１Ａ・ｍで、軌道が１０−１０ｍの磁気の光子が４．０６５４５×１０２７個放出するのであるから、
１Ａ・ｓで、４．０６５４５×１０２７個×２．１２１４×１０８ｍ＝８．６２４×１０３５個放出する。
もし、磁気の光子の軌道をｙｍと仮定すると、磁気の光子の数は１クーロンで、何個放出するか。
９．４８７×１０４Ｊ÷（１．１×１０４１Ｊ÷ｙ）＝８．６２４５×１０４５×ｙ    ８．６２４５×１０４５×ｙ個放出する。
１クーロンでは軌道がｙｍの磁気の光子が８．６２４５×１０４５×ｙ個放出する。
１クーロンでできる磁気の光子のエネルギーは９．４８７×１０４Ｊであるから、
１クーロンでできる磁気の光子の軌道エネルギーは、９．４８７×１０４Ｊ÷軌道  である。
ｑクーロンでできる磁気の光子の軌道エネルギーは、９．４８７×１０４Ｊ×ｑ÷軌道である。
【発明の効果】
【０００６】本発明によって力、引力は衝突する点の各々の磁気の光子の軌道エネルギーの積であることが理解できた。
物質の磁気の光子の軌道エネルギー＝８．１６８×１０−６Ｊ×ｍ（ｋｇ）÷軌道（ｍ）。
電荷の磁気の光子の軌道エネルギー＝９．４８７×１０４Ｊ×ｑ（クーロン）÷軌道（ｍ）。
の式によって、磁気の光子は走る距離によってエネルギーが減少する事が理解できた。
磁気の光子のエネルギーは導体を走るとき、導体の原子の原子核や電子にぶつからないようにカーブする。そのとき外側の磁気の光子が放出する。それで、電流により、磁気の光子がたくさん放出する事が理解できた。
力、引力になっている磁気の光子はクロス回転する外側の軌道の磁気の光子であることが理解できた。
【図面の簡単な説明】
【図１】物質の磁気の光子のエネルギーはｒｍ進むごとに（６．６７２×１０−１１）１／２Ｊ×ｍｋｇ÷ｒに減少する。
【図２】電荷の磁気の光子のエネルギーはｒｍ進むごとに（９×１０９）１／２Ｊ×ｑ÷ｒに減少する。
【図３】太陽から放出した磁気の光子は地球では可視光になる。
【図４】万有引力の解明。衝突した磁気の光子のエネルギーは衝突した点の各々の磁気の光子の軌道エネルギーの積である。
【図５】クーロンの法則の解明。衝突した磁気の光子のエネルギーは衝突した点の各々の磁気の光子の軌道エネルギーの積である。
【図６】物質の万有引力は、１原子から放出される８．１１２×１０−１０ｍの軌道で、１．３５６×１０−３２Ｊのエネルギーである磁気の光子によってできる。この磁気の光子を「万有引力の基本磁気の光子」と名付ける。
【図７】物質１ｋｇから放出する磁気の光子は６．０２３６×１０２５個の「万有引力の基本磁気の光子」である。
【図８】自由電子が導体の原子核や電子をカーブするとき、磁気の光子はラブから離れているので、ラブの引力が弱い。それで、外側の磁気の光子はラブについていけずそのままの方向に進み、放出する。
【図９】電流１Ａ１ｍで、放出する磁気の光子の軌道エネルギーとその数。
【図１０】１クーロンで放出する磁気の光子の軌道エネルギーとその数。
【符号の説明】
１  ｍｋｇの物質      ２  磁気の光子の軌道      ３  ｑクーロンの電荷
４  太陽      ５  地球      ６  太陽から出発した磁気の光子
７  地球に着いた磁気の光子      ８  ｍｋｇの物質Ａ
９  ｍ′ｋｇの物質Ｂ      １０  ｑ１クーロンの電荷Ａ
１１  ｑ２クーロンの電荷Ｂ      １２  原子
１３  原子から放出する「万有引力の基本磁気の光子」
１４  １ｋｇの物質      １５  自由電子      １６  磁気の光子
１７  電気の光子      １８  ラブ      １９  外側の磁気の光子
２０  導体      ２１  １Ａの電流      ２２  １クーロンの電荷
【図１】
2004162717.tif 000003
【図２】
2004162717.tif 000004
【図３】
2004162717.tif 000005
【図４】
2004162717.tif 000006
【図５】
2004162717.tif 000007
【図６】
2004162717.tif 000008
【図７】
2004162717.tif 000009
【図８】
2004162717.tif 000010
【図９】
2004162717.tif 000011
【図１０】
2004162717.tif 000012